【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
受信信号を表わすサンプル源と、
前記サンプル源に結合されており且つ制御信号に応答して送信機からの連続するシンボルに同期した時点で取り出されたサンプルを生成する補間装置と、
前記制御信号を供給する制御回路網であって、（ａ）前記補間装置からの出力信号と（ｂ）公称遅延オフセット信号とに応答する被制御遅延回路網を含む前記制御回路網と、
から成る連続するシンボルを表わす信号を受信するディジタル信号処理装置におけるタイミング再生装置。
【請求項２】
前記制御回路網が、
前記補間装置に結合されており、該補間装置によって生成された送信機同期化サンプルのサンプリング時点と前記連続する送信機のシンボルの時点との間の位相誤差を検出する位相誤差検出器と、
公称遅延信号の信号源と、
前記位相誤差検出器と前記公称遅延信号の信号源とに結合された合計器と、
前記合計器に結合されていて、前記補間装置用の制御信号を生成する数値制御遅延装置と、
から成る請求項１記載のタイミング再生装置。
【請求項３】
前記サンプルが固定された周波数で取り出される請求項１記載のタイミング再生装置。
【請求項４】
前記数値制御遅延装置が、
次の送信機同期化サンプルが前記補間装置によって取り出される前に残っている時間を表わす信号を保持するアキュムレータと、
前記アキュムレータに結合されていて、送信機同期化サンプルが取り出されるときに送信機同期化サンプル・クロック可能化信号を発生する回路と、
前記アキュムレータに結合されていて、前記補間装置用の制御信号を発生する回路と、から成る請求項２記載のタイミング再生装置。
【請求項５】
さらに固定された周波数を有するクロック信号の信号源を有し、
前記アキュムレータは、整数部分と分数部分とを有する固定された点の数を保持する回路からなり、前記数の値は固定された周波数のクロック信号の周期に基づいて表わされ、
前記送信機同期化サンプル・クロック可能化信号を発生する回路は、固定された周波数クロック信号に応答して、前記アキュムレータ中の整数部分がゼロに達するまで前記整数部分をカウントダウンし、
前記補間装置用の制御信号を発生する回路は前記アキュムレータ中の数の分数部分に応答する、
請求項４記載のタイミング再生装置。
【請求項６】
前記補間装置は４個のタップを有する区分的放物線フィルタから成る請求項２記載のタイミング再生装置。
【請求項７】
前記受信信号は複数のシンボル・レートの１つで生成された連続するシンボルを表わし、
前記公称遅延信号の信号源は、受信信号中の連続するシンボル相互間の公称時間遅延に相当する遅延値を有する公称遅延信号を発生する、
請求項２記載のタイミング再生装置。
【請求項８】
前記固定された周波数は予想される最高送信機同期化サンプル率の２倍よりも高い、請求項３記載のタイミング再生装置。
【請求項９】
前記固定された周波数は送信機同期化サンプル率の２倍よりも高い、請求項３記載のタイミング再生装置。
【請求項１０】
前記固定された周波数は６２ＭＨｚであり、送信機同期化シンボル・レートは３０Ｍシンボル／秒である請求項９記載のタイミング再生装置。
【請求項１１】
前記固定された周波数は６２ＭＨｚであり、送信機同期化シンボル・レートは２０Ｍシンボル／秒である請求項９記載のタイミング再生装置。
【請求項１２】
さらに、前記位相誤差検出器と前記合計器との間に結合されたループフィルタを有する、請求項２記載のタイミング再生装置。
【手続補正２】
【補正対象書類名】明細書
【補正対象項目名】００１５
【補正方法】変更
【補正の内容】
【００１５】
これは、６２／３０および６２／２０の初期サンプル・クロック周波数対シンボル・クロック率を与える。これらの分数表示で、分子は初期サンプリング率であり、分母はシンボル・レート（Ｍシンボル／秒）である。従って、この場合は、２０Ｍシンボル／秒と３０Ｍシンボル／秒の両方のシンボル・レートの再生は、単一の固定された水晶制御発振器から供給される単一の固定された６２ＭＨｚの初期サンプリング・クロック周波数を使用することにより実現することができる。
請求の範囲と実施例との対応関係を図面で使われている参照番号で示すと次の通りである。
（請求項１）  受信信号を表わすサンプル源（１０）と、
前記サンプル源に結合されており且つ制御信号に応答して送信機からの連続するシンボルに同期した時点で取り出されたサンプルを生成する補間装置（１２）と、
前記制御信号を供給する制御回路網（１６、２０−３０、３４−３６）であって、（ａ）前記補間装置からの出力信号と（ｂ）公称遅延（３１）オフセット信号とに応答する被制御遅延回路網を含む前記制御回路網と、
から成る連続するシンボルを表わす信号を受信するディジタル信号処理装置におけるタイミング再生装置。
（請求項２）  前記制御回路網が、
前記補間装置に結合されており、該補間装置によって生成された送信機同期化サンプルのサンプリング時点と前記連続する送信機のシンボルの時点との間の位相誤差を検出する位相誤差検出器と、
公称遅延信号の信号源と、
前記位相誤差検出器と前記公称遅延信号の信号源とに結合された合計器と、
前記合計器に結合されていて、前記補間装置用の制御信号を生成する数値制御遅延装置と、
から成る請求項１記載のタイミング再生装置。
（請求項３）  前記サンプルが固定された周波数で取り出される請求項１記載のタイミング再生装置。
（請求項４）  前記数値制御遅延装置が、
次の送信機同期化サンプルが前記補間装置によって取り出される前に残っている時間を表わす信号を保持するアキュムレータと、
前記アキュムレータに結合されていて、送信機同期化サンプルが取り出されるときに送信機同期化サンプル・クロック可能化信号を発生する回路と、
前記アキュムレータに結合されていて、前記補間装置用の制御信号を発生する回路と、から成る請求項２記載のタイミング再生装置。
（請求項５）  さらに固定された周波数を有するクロック信号の信号源を有し、
前記アキュムレータは、整数部分と分数部分とを有する固定された点の数を保持する回路からなり、前記数の値は固定された周波数のクロック信号の周期に基づいて表わされ、
前記送信機同期化サンプル・クロック可能化信号を発生する回路は、固定された周波数クロック信号に応答して、前記アキュムレータ中の整数部分がゼロに達するまで前記整数部分をカウントダウンし、
前記補間装置用の制御信号を発生する回路は前記アキュムレータ中の数の分数部分に応答する、
請求項４記載のタイミング再生装置。
（請求項６）  前記補間装置は４個のタップを有する区分的放物線フィルタから成る請求項２記載のタイミング再生装置。
（請求項７）  前記受信信号は複数のシンボル・レートの１つで生成された連続するシンボルを表わし、
前記公称遅延信号の信号源は、受信信号中の連続するシンボル相互間の公称時間遅延に相当する遅延値を有する公称遅延信号を発生する、
請求項２記載のタイミング再生装置。
（請求項８）  前記固定された周波数は予想される最高送信機同期化サンプル率の２倍よりも高い、請求項３記載のタイミング再生装置。
（請求項９）  前記固定された周波数は送信機同期化サンプル率の２倍よりも高い、請求項３記載のタイミング再生装置。
（請求項１０）  前記固定された周波数は６２ＭＨｚであり、送信機同期化シンボル・レートは３０Ｍシンボル／秒である請求項９記載のタイミング再生装置。
（請求項１１）  前記固定された周波数は６２ＭＨｚであり、送信機同期化シンボル・レートは２０Ｍシンボル／秒である請求項９記載のタイミング再生装置。
（請求項１２）  さらに、前記位相誤差検出器と前記合計器との間に結合されたループフィルタを有する、請求項２記載のタイミング再生装置。